【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
被写体を撮像する撮像装置であって、
前記被写体の撮像画像を表示する表示手段と、
基準姿勢に対する前記撮像装置の傾きを検出する傾き検出手段と、
前記傾き検出手段が検出した前記撮像装置の傾きに相応するガイド表示を生成する生成手段と、
前記傾き検出手段が検出した前記撮像装置の傾きに基づいて、前記表示手段への前記ガイド表示の表示又は非表示を切り換える切り換え手段とを有し、
前記ガイド表示の表示又は非表示を切り換える前記撮像装置の傾きは、前記撮像装置のズーム位置がテレ側である場合に比べてワイド側である場合の方が小さいことを特徴とする撮像装置。
【請求項２】
被写体を撮像する撮像装置であって、
前記被写体の撮像画像を表示する表示手段と、
基準姿勢に対する前記撮像装置の傾きを検出する傾き検出手段と、
前記傾き検出手段が検出した前記撮像装置の傾きに相応するガイド表示を生成する生成手段と、
前記撮像装置のズーム位置がテレ側である場合よりもワイド側である場合に該ガイド表示を誇張して前記表示手段に表示する表示制御手段とを有することを特徴とする撮像装置。
【請求項３】
被写体を撮像する撮像装置であって、
前記被写体の撮像画像を表示する表示手段と、
基準姿勢に対する前記撮像装置の傾きを検出する傾き検出手段と、
前記傾き検出手段が検出した前記撮像装置の傾きに相応するガイド表示を生成する生成手段と、
前記傾き検出手段が検出した前記撮像装置の傾きに基づいて、前記表示手段への前記ガイド表示の表示又は非表示を切り換える切り換え手段と、
前記撮像装置のズーム位置がテレ側である場合よりもワイド側である場合に該ガイド表示を誇張して前記表示手段に表示する表示制御手段とを有し、
前記ガイド表示の表示又は非表示を切り換える前記撮像装置の傾きは、前記撮像装置のズーム位置がテレ側である場合に比べてワイド側である場合の方が小さいことを特徴とする撮像装置。
【請求項４】
被写体を撮像する撮像装置であって、
前記被写体の撮像画像を表示する表示手段と、
基準姿勢に対する前記撮像装置の傾きを検出する傾き検出手段と、
前記傾き検出手段が検出した前記撮像装置の傾きに相応するガイド表示を生成する生成手段と、
前記傾き検出手段が検出した前記撮像装置の傾きに基づいて、前記表示手段への前記ガイド表示の表示又は非表示を切り換える切り換え手段と、
前記撮像装置のズーム位置がテレ側である場合に比べてワイド側である場合の方が前記傾き検出手段の検出感度が高くなるように該検出感度を変更する検出感度変更手段とを有することを特徴とする撮像装置。
【請求項５】
被写体を撮像し、該被写体の撮像画像を表示する表示手段を有する撮像装置の表示制御方法であって、
基準姿勢に対する前記撮像装置の傾きを検出する傾き検出ステップと、
前記傾き検出ステップで検出した前記撮像装置の傾きに相応するガイド表示を生成する生成ステップと、
前記傾き検出ステップで検出した前記撮像装置の傾きに基づいて、前記表示手段への前記ガイド表示の表示又は非表示を切り換える切り換えステップとを有し、
該切り換えステップにおいて、前記ガイド表示の表示又は非表示を切り換える前記撮像装置の傾きは、前記撮像装置のズーム位置がテレ側である場合に比べてワイド側である場合の方が小さいことを特徴とする撮像装置の表示制御方法。
【請求項６】
被写体を撮像し、該被写体の撮像画像を表示する表示手段を有する撮像装置の制御方法であって、
基準姿勢に対する前記撮像装置の傾きを検出する傾き検出ステップと、
前記傾き検出ステップで検出した前記撮像装置の傾きに相応するガイド表示を生成する生成ステップと、
前記撮像装置のズーム位置がテレ側である場合よりもワイド側である場合に該ガイド表示を誇張して前記表示手段に表示する表示制御ステップとを有することを特徴とする撮像装置の表示制御方法。
【請求項７】
被写体を撮像し、該被写体の撮像画像を表示する表示手段を有する撮像装置の表示制御方法であって、
基準姿勢に対する前記撮像装置の傾きを検出する傾き検出ステップと、
前記傾き検出ステップで検出した前記撮像装置の傾きに相応するガイド表示を生成する生成ステップと、
前記傾き検出ステップで検出した前記撮像装置の傾きに基づいて、前記表示手段への前記ガイド表示の表示又は非表示を切り換える切り換えステップと、
前記撮像装置のズーム位置がテレ側である場合よりもワイド側である場合に該ガイド表示を誇張して前記表示手段に表示する表示制御ステップとを有し、
該表示制御ステップにおいて、前記ガイド表示の表示又は非表示を切り換える前記撮像装置の傾きは、前記撮像装置のズーム位置がテレ側である場合に比べてワイド側である場合の方が小さいことを特徴とする撮像装置の表示制御方法。
【請求項８】
被写体を撮像し、該被写体の撮像画像を表示する表示手段を有する撮像装置の表示制御方法であって、
基準姿勢に対する前記撮像装置の傾きを検出する傾き検出ステップと、
前記傾き検出ステップで検出した前記撮像装置の傾きに相応するガイド表示を生成する生成ステップと、
前記傾き検出ステップで検出した前記撮像装置の傾きに基づいて、前記表示手段への前記ガイド表示の表示又は非表示を切り換える切り換えステップと、
前記撮像装置のズーム位置がテレ側である場合に比べてワイド側である場合の方が前記傾き検出ステップでの検出感度が高くなるように該検出感度を変更する検出感度変更ステップとを有することを特徴とする撮像装置の表示制御方法。
【請求項９】
被写体を撮像する撮像装置であって、
前記被写体の撮像画像を表示する表示手段と、
基準姿勢に対する前記撮像装置の傾きを検出する傾き検出手段と、
前記傾き検出手段が検出した前記撮像装置の傾きに相応するガイド表示を生成する生成手段と、
前記撮像装置のズーム位置が所定の位置よりテレ側であるか否かを判定する判定手段と、
前記判定手段によって前記ズーム位置が所定の位置よりテレ側であると判定された場合は前記表示手段に前記ガイド表示を表示せず、前記判定手段によって前記ズーム位置が所定の位置よりテレ側ではないと判定された場合は前記表示手段に前記ガイド表示を表示するように制御する制御手段とを有することを特徴とする撮像装置。
【請求項１０】
被写体を撮像する撮像装置であって、
前記被写体の撮像画像を表示する表示手段と、
基準姿勢に対する前記撮像装置の傾きを検出する傾き検出手段と、
前記傾き検出手段が検出した前記撮像装置の傾きに相応するガイド表示を生成する生成手段と、
前記撮像装置のズーム位置が所定の位置よりワイド側であるか否かを判定する判定手段と、
前記判定手段によって前記ズーム位置が所定の位置よりワイド側であると判定された場合は前記表示手段に前記ガイド表示を表示し、前記判定手段によって前記ズーム位置が所定の位置よりワイド側ではないと判定された場合は前記表示手段に前記ガイド表示を表示しないように制御する制御手段とを有することを特徴とする撮像装置。
【請求項１１】
被写体を撮像し、該被写体の撮像画像を表示する表示手段を有する撮像装置の表示制御方法であって、
基準姿勢に対する前記撮像装置の傾きを検出する傾き検出ステップと、
前記傾き検出ステップで検出した前記撮像装置の傾きに相応するガイド表示を生成する生成ステップと、
前記撮像装置のズーム位置が所定の位置よりテレ側であるか否かを判定する判定ステップと、
前記判定ステップで前記ズーム位置が所定の位置よりテレ側であると判定された場合は前記表示手段に前記ガイド表示を表示せず、前記判定ステップで前記ズーム位置が所定の位置よりテレ側ではないと判定された場合は前記表示手段に前記ガイド表示を表示するように制御する制御ステップとを有することを特徴とする撮像装置の表示制御方法。
【請求項１２】
被写体を撮像し、該被写体の撮像画像を表示する表示手段を有する撮像装置の表示制御方法であって、
基準姿勢に対する前記撮像装置の傾きを検出する傾き検出ステップと、
前記傾き検出ステップで検出した前記撮像装置の傾きに相応するガイド表示を生成する生成ステップと、
前記撮像装置のズーム位置が所定の位置よりワイド側であるか否かを判定する判定ステップと、
前記判定ステップで前記ズーム位置が所定の位置よりワイド側であると判定された場合は前記表示手段に前記ガイド表示を表示し、前記判定ステップで前記ズーム位置が所定の位置よりワイド側ではないと判定された場合は前記表示手段に前記ガイド表示を表示しないように制御する制御ステップとを有することを特徴とする撮像装置の表示制御方法。
【手続補正２】
【補正対象書類名】明細書
【補正対象項目名】０００７
【補正方法】変更
【補正の内容】
【０００７】
上記目的を達成するために、本発明の一側面としての撮像装置は、被写体を撮像する撮像装置であって、被写体の撮像画像を表示する表示手段と、基準姿勢に対する撮像装置の傾きを検出する傾き検出手段と、傾き検出手段が検出した撮像装置の傾きに相応するガイド表示を生成する生成手段と、傾き検出手段が検出した撮像装置の傾きに基づいて、表示手段へのガイド表示の表示又は非表示を切り換える切り換え手段とを有し、ガイド表示の表示又は非表示を切り換える撮像装置の傾きは、撮像装置のズーム位置がテレ側である場合に比べてワイド側である場合の方が小さいことを特徴とする。
【手続補正３】
【補正対象書類名】明細書
【補正対象項目名】０００８
【補正方法】変更
【補正の内容】
【０００８】
本発明の別の側面としての撮像装置は、被写体を撮像する撮像装置であって、被写体の撮像画像を表示する表示手段と、基準姿勢に対する撮像装置の傾きを検出する傾き検出手段と、傾き検出手段が検出した撮像装置の傾きに相応するガイド表示を生成する生成手段と、傾き検出手段が検出した撮像装置の傾きに基づいて、表示手段へのガイド表示の表示又は非表示を切り換える切り換え手段と、撮像装置のズーム位置がテレ側である場合よりもワイド側である場合に該ガイド表示を誇張して表示する表示制御手段とを有することを特徴とする。
【手続補正４】
【補正対象書類名】明細書
【補正対象項目名】０００９
【補正方法】変更
【補正の内容】
【０００９】
本発明の更に別の側面としての撮像装置は、被写体を撮像する撮像装置であって、被写体の撮像画像を表示する表示手段と、基準姿勢に対する撮像装置の傾きを検出する傾き検出手段と、傾き検出手段が検出した撮像装置の傾きに相応するガイド表示を生成する生成手段と、傾き検出手段が検出した撮像装置の傾きに基づいて、表示手段へのガイド表示の表示又は非表示を切り換える切り換え手段と、撮像装置のズーム位置がテレ側である場合よりもワイド側である場合にガイド表示を誇張して表示手段に表示する表示制御手段とを有し、ガイド表示の表示又は非表示を切り換える撮像装置の傾きは、撮像装置のズーム位置がテレ側である場合に比べてワイド側である場合の方が小さいことを特徴とする。
【手続補正５】
【補正対象書類名】明細書
【補正対象項目名】００１０
【補正方法】変更
【補正の内容】
【００１０】
本発明の更に別の側面としての撮像装置は、被写体を撮像する撮像装置であって、被写体の撮像画像を表示する表示手段と、基準姿勢に対する撮像装置の傾きを検出する傾き検出手段と、傾き検出手段が検出した撮像装置の傾きに相応するガイド表示を生成する生成手段と、傾き検出手段が検出した撮像装置の傾きに基づいて、表示手段へのガイド表示の表示又は非表示を切り換える切り換え手段と、撮像装置のズーム位置がテレ側である場合に比べてワイド側である場合の方が傾き検出手段の検出感度が高くなるように該検出感度を変更する検出感度変更手段とを有することを特徴とする。
【手続補正６】
【補正対象書類名】明細書
【補正対象項目名】００１１
【補正方法】変更
【補正の内容】
【００１１】
本発明の更に別の側面としての表示制御方法は、被写体を撮像し、該被写体の撮像画像を表示する表示手段を有する撮像装置に適用される。該表示制御方法は、基準姿勢に対する撮像装置の傾きを検出する傾き検出ステップと、傾き検出ステップで検出した撮像装置の傾きに相応するガイド表示を生成する生成ステップと、傾き検出ステップで検出した撮像装置の傾きに基づいて、表示手段へのガイド表示の表示又は非表示を切り換える切り換えステップとを有し、該切り換えステップにおいて、ガイド表示の表示又は非表示を切り換える撮像装置の傾きは、撮像装置のズーム位置がテレ側である場合に比べてワイド側である場合の方が小さいことを特徴とする。
【手続補正７】
【補正対象書類名】明細書
【補正対象項目名】００１２
【補正方法】変更
【補正の内容】
【００１２】
本発明の更に別の側面としての表示制御方法は、被写体を撮像し、該被写体の撮像画像を表示する表示手段を有する撮像装置に適用される。該表示制御方法は、基準姿勢に対する撮像装置の傾きを検出する傾き検出ステップと、傾き検出ステップで検出した撮像装置の傾きに相応するガイド表示を生成する生成ステップと、撮像装置のズーム位置がテレ側である場合よりもワイド側である場合に該ガイド表示を誇張して表示手段に表示する表示制御ステップとを有することを特徴とする。
【手続補正８】
【補正対象書類名】明細書
【補正対象項目名】００１３
【補正方法】変更
【補正の内容】
【００１３】
本発明の更に別の側面としての表示制御方法は、被写体を撮像し、該被写体の撮像画像を表示する表示手段を有する撮像装置に適用される。該表示制御方法は、基準姿勢に対する撮像装置の傾きを検出する傾き検出ステップと、傾き検出ステップで検出した撮像装置の傾きに相応するガイド表示を生成する生成ステップと、傾き検出ステップで検出した撮像装置の傾きに基づいて、表示手段へのガイド表示の表示又は非表示を切り換える切り換えステップと、撮像装置のズーム位置がテレ側である場合よりもワイド側である場合にガイド表示を誇張して表示手段に表示する表示制御ステップとを有し、該表示制御ステップにおいて、ガイド表示の表示又は非表示を切り換える撮像装置の傾きは、撮像装置のズーム位置がテレ側である場合に比べてワイド側である場合の方が小さいことを特徴とする。
【手続補正９】
【補正対象書類名】明細書
【補正対象項目名】００１４
【補正方法】変更
【補正の内容】
【００１４】
本発明の更に別の側面としての表示制御方法は、被写体を撮像し、該被写体の撮像画像を表示する表示手段を有する撮像装置に適用される。該表示制御方法は、基準姿勢に対する撮像装置の傾きを検出する傾き検出ステップと、傾き検出ステップで検出した撮像装置の傾きに相応するガイド表示を生成する生成ステップと、傾き検出ステップで検出した撮像装置の傾きに基づいて、表示手段へのガイド表示の表示又は非表示を切り換える切り換えステップと、撮像装置のズーム位置がテレ側である場合に比べてワイド側である場合の方が傾き検出ステップでの検出感度が高くなるように該検出感度を変更する検出感度変更ステップとを有することを特徴とする。
本発明の更に別の側面としての撮像装置は、被写体を撮像する撮像装置であって、被写体の撮像画像を表示する表示手段と、基準姿勢に対する撮像装置の傾きを検出する傾き検出手段と、傾き検出手段が検出した撮像装置の傾きに相応するガイド表示を生成する生成手段と、撮像装置のズーム位置が所定の位置よりテレ側であるか否かを判定する判定手段と、判定手段によってズーム位置が所定の位置よりテレ側であると判定された場合は表示手段にガイド表示を表示せず、判定手段によってズーム位置が所定の位置よりテレ側ではないと判定された場合は表示手段にガイド表示を表示するように制御する制御手段とを有することを特徴とする。
本発明の更に別の側面としての撮像装置は、被写体を撮像する撮像装置であって、被写体の撮像画像を表示する表示手段と、基準姿勢に対する撮像装置の傾きを検出する傾き検出手段と、傾き検出手段が検出した撮像装置の傾きに相応するガイド表示を生成する生成手段と、撮像装置のズーム位置が所定の位置よりワイド側であるか否かを判定する判定手段と、判定手段によってズーム位置が所定の位置よりワイド側であると判定された場合は表示手段にガイド表示を表示し、判定手段によってズーム位置が所定の位置よりワイド側ではないと判定された場合は表示手段にガイド表示を表示しないように制御する制御手段とを有することを特徴とする。
本発明の更に別の側面としての表示制御方法は、被写体を撮像し、該被写体の撮像画像を表示する表示手段を有する撮像装置に適用される。該表示制御方法は、基準姿勢に対する撮像装置の傾きを検出する傾き検出ステップと、傾き検出ステップで検出した撮像装置の傾きに相応するガイド表示を生成する生成ステップと、撮像装置のズーム位置が所定の位置よりテレ側であるか否かを判定する判定ステップと、判定ステップでズーム位置が所定の位置よりテレ側であると判定された場合は表示手段にガイド表示を表示せず、判定ステップでズーム位置が所定の位置よりテレ側ではないと判定された場合は表示手段にガイド表示を表示するように制御する制御ステップとを有することを特徴とする。
本発明の更に別の側面としての表示制御方法は、被写体を撮像し、該被写体の撮像画像を表示する表示手段を有する撮像装置に適用される。該表示制御方法は、基準姿勢に対する前記撮像装置の傾きを検出する傾き検出ステップと、傾き検出ステップで検出した撮像装置の傾きに相応するガイド表示を生成する生成ステップと、撮像装置のズーム位置が所定の位置よりワイド側であるか否かを判定する判定ステップと、判定ステップでズーム位置が所定の位置よりワイド側であると判定された場合は表示手段にガイド表示を表示し、判定ステップでズーム位置が所定の位置よりワイド側ではないと判定された場合は表示手段にガイド表示を表示しないように制御する制御ステップとを有することを特徴とする。
【手続補正１０】
【補正対象書類名】明細書
【補正対象項目名】００３１
【補正方法】変更
【補正の内容】
【００３１】
１２６は傾きセンサである。傾きセンサ１２６は、撮像装置１の後述する基準姿勢に対する傾きを検出する。傾きセンサ１２６は、本実施形態では、加速度センサを使用する。
【手続補正１１】
【補正対象書類名】明細書
【補正対象項目名】００３５
【補正方法】変更
【補正の内容】
【００３５】
以下、表示制御部１１６の制御動作（表示制御方法）について説明する。図２は、表示制御部１１６の制御動作を説明するためのフローチャートである。
【手続補正１２】
【補正対象書類名】明細書
【補正対象項目名】００３６
【補正方法】変更
【補正の内容】
【００３６】
図２を参照するに、まず、傾きセンサ１２６の出力に基づいて、撮像装置１の傾き情報を検出する（ステップ１１０２）。次に、現在のズーム位置が所定の位置よりもテレ側（又はワイド側）であるかどうかを判断（判定）する（ステップ１１０４）。
【手続補正１３】
【補正対象書類名】明細書
【補正対象項目名】００４３
【補正方法】変更
【補正の内容】
【００４３】
まず、電圧範囲（Ｂ）は、傾きセンサ１２６の出力が電源電圧の半分になっており、撮像装置１が正位置に位置している、即ち、撮像画像が水平（基準姿勢）に保たれている場合を示している。これに対して、電圧範囲（Ａ）は、傾きセンサ１２６の出力がＧＮＤレベルとなっており、撮像装置１を左に９０度傾けている場合を示している。また、電圧範囲（Ｃ）は、傾きセンサ１２６の出力が電源電圧と同じになっており、撮像装置１を右に９０度傾けている場合を示している。
【手続補正１４】
【補正対象書類名】明細書
【補正対象項目名】００６７
【補正方法】変更
【補正の内容】
【００６７】
７０１は、傾きセンサ１２６からの出力ゲインを変更可能なゲイン可変アンプであり、カメラ制御部１１５で判断したズーム位置に基づいて、主制御部１１４が内蔵するゲイン制御部（検出感度変更手段）７０２を介して、ゲイン設定を変更することができる。
【手続補正１５】
【補正対象書類名】明細書
【補正対象項目名】００６８
【補正方法】変更
【補正の内容】
【００６８】
図８は、ゲイン可変アンプ７０１の構成を示す概略ブロック図である。ゲイン可変アンプ７０１は、図８に示すように、ゲイン切り替えスイッチ７０３と、アンプ７０４と、抵抗７０５とを有する。主制御部１１４からのゲイン切り替え信号によって、ゲイン切り替えスイッチ７０３がＯＮになると、アンプ７０４の入力抵抗が並列に接続され、アンプゲインが上がる。この結果、センサ感度（傾きセンサ１２６の検出感度）が上がった状態となる。かかるゲイン変更は、現在のズーム位置がワイド側である場合に、ガイド表示に表示される撮像装置１の傾きを、実際の傾きよりも誇張するために行われる。